(57)【要約】【課題】軽くて頑丈で使い勝手の良い塵取りを提供する。【解決手段】前方に塵取り口部２を設けた塵取り板部３と、該塵取り板部３を支持する取っ手４を備えた塵取り１であって、該塵取り１はアルミニウム製からなり、塵取り板部３において塵取り口部２の前端部にはその幅方向にわたって前方降下状の傾斜面Ｓを屈曲形成し、該傾斜面Ｓ上端より後方の塵取り板部３底面には、その幅方向にわたって使用状態で接地しない厚みｔと前後幅ｗを有する補強帯板５を一体形成し、取っ手４はアルミニウム製で帯板状の芯材13をアルミニウム製の薄板から成る外装材14で抱持する。【選択図】図５
2016039839.tif 000002
【特許請求の範囲】
【請求項１】
前方に塵取り口部を設けた塵取り板部と、該塵取り板部を支持する取っ手を備えた塵取りであって、該塵取りはアルミニウム製からなり、塵取り板部において塵取り口部の前端部にはその幅方向にわたって前方降下状の傾斜面を屈曲形成し、該傾斜面上端より後方の塵取り板部底面には、その幅方向にわたって使用状態で接地しない厚みと前後幅を有する補強帯板を一体形成したことを特徴とする塵取り。
【請求項２】
取っ手はアルミニウム製で帯板状の芯材をアルミニウム製の薄板から成る外装材で抱持したことを特徴とする請求項１記載の塵取り。
【請求項３】
表面全体に絵柄を施したことを特徴とする請求項１又は２記載の塵取り。
【発明の詳細な説明】
【技術分野】
【０００１】
本発明は、主に屋外清掃に用いられる塵取りに関する。
【背景技術】
【０００２】
従来、屋外で使用される塵取りの代表例としては、特許文献１の図４にも開示されている様に、平たいシャベルの様に形成された塵取り板部と、該塵取り板部の前方に設けた塵取り口部を除く周縁（左右側縁及び後端縁）に設けた三方壁の夫々より上方へ突設すると共に上方で平面視Ｔ字に連結した取っ手とからなる三つ手塵取りが挙げられる。
【先行技術文献】
【特許文献】
【０００３】
【特許文献１】特開平８−３３２１６６号公報（特に、図４）
【発明の概要】
【発明が解決しようとする課題】
【０００４】
上記塵取りは、一般にブリキ製から成り、屋外で多様されることから、乱暴に使われやすく、塵取り板部において、立壁が形成できず強度の低い塵取り口部近傍には、前後方向に長くて扁平な帯状ビードを幅方向に平行に隆起又は陥没形成することにより補強しているが、ブリキ製のため使用頻度にしたがい徐々に変形するなどして、塵取り口部の扁平度が保てず、塵を掃き入れることができなくるといった課題を有している。
【０００５】
また、塵取り板部を三方で支持する取っ手の夫々は、ブリキ製帯板の両側縁を折り返すことにより構成され、かかる構成により補強はされているが、芯材はなく、ブリキ製のため変形しやすく、その変形状態にもよるが、そのままで使用するのは使い勝手が悪いといった課題をも有している。
そこで、本発明では、軽くて頑丈で使い勝手の良い塵取りを提供することを目的としている。
【課題を解決するための手段】
【０００６】
上記課題に鑑み、本発明の塵取りは、前方に塵取り口部を設けた塵取り板部と、該塵取り板部を支持する取っ手を備えたものであって、アルミニウム製からなり、塵取り板部において塵取り口部の前端部にはその幅方向にわたって前方降下状の傾斜面を屈曲形成し、該傾斜面上端より後方の塵取り板部底面には、その幅方向にわたって使用状態で接地しない厚みと前後幅を有する補強帯板を一体形成したことを特徴とする。
また、取っ手はアルミニウム製で帯板状の芯材をアルミニウム製の薄板から成る外装材で抱持したことを特徴とする。
更に、塵取りの表面全体に絵柄を施したことを特徴とする。
【発明の効果】
【０００７】
要するに本発明は、前方に塵取り口部を設けた塵取り板部と、該塵取り板部を支持する取っ手を備えた塵取りであって、該塵取りはアルミニウム製からなるので、従来のブリキ製のものに比し軽くて頑丈で少々乱暴に扱っても変形し難く、使い勝手が良い。
また、塵取り板部において塵取り口部の前端部にはその幅方向にわたって前方降下状の傾斜面を屈曲形成し、該傾斜面上端より後方の塵取り板部底面には、その幅方向にわたって使用状態で接地しない厚みと前後幅を有する補強帯板を一体形成したので、従来の様に、補強用のビードを形成することもなく塵取り板部における塵取り口部周辺の強度を飛躍的に向上できると共に、従来品の様にビードの形成による凹凸がなく塵取り口部を平坦に形成できるため塵を塵取り板部の奥方へスムーズに掃き入れることができる。
しかも、補強帯板は、塵取り口部の前端部の傾斜面の形成によってその裏側に形成された空間内から食み出すことなく、即ち塵取りの使用状態で地面に接触することの無いようにその肉厚と前後幅が設定されているから、その使用状態で塵取りがガタつくことがなく、塵の掃き入れ易い前端部の傾斜面から上記の平坦な塵取り口部を通して塵取り板部の奥方へ塵を掃き入れることができる。
【０００８】
取っ手はアルミニウム製で帯板状の芯材をアルミニウム製の薄板から成る外装材で抱持したので、ブリキ製帯板の両側縁を単に折り返してなる従来品に比し軽くて頑丈で少々乱暴に扱っても変形し難く、若干太く構成できるため、握り具合も良好と成すことができる。
【０００９】
又、塵取りの表面全体に絵柄を施したので、見栄えが良く、デザイン性に優れ、需要者の購買意欲を向上させることができ、また使用にあたっても愛着心が芽生えるなどしてその取扱いが丁寧となり、清掃作業も捗るなどその実用的効果甚だ大である。
【図面の簡単な説明】
【００１０】
【図１】本発明に係る塵取りの正面図である。
【図２】同上平面図である。
【図３】同上側面図である。
【図４】同上底面図である。
【図５】使用状態における中央縦断面図である。
【発明を実施するための形態】
【００１１】
以下本発明の実施の一形態例を図面に基づいて説明する。
本発明に係る塵取り１は、アルミニウム製からなり、図１〜５に示す様に、前方に塵取り口部２を設けた塵取り板部３と、該塵取り板部３を支持する取っ手４を備えている。
【００１２】
塵取り板部３は、塵取り口部２の前端2aが後端3aより長い平面視等脚台形状に形成され、塵取り口部２の前端部には、その幅（左右）方向にわたって前方降下状の傾斜面Ｓを屈曲形成している。
尚、塵取り口部２の前端2aは、外側へ折り返されて傾斜面Ｓの強度を向上を図っている。
【００１３】
また、傾斜面Ｓの上端より後方の塵取り板部３の底面には、その幅方向にわたって塵取り１の使用（設置）状態で接地（地面Ｇに接触）しない厚みｔと前後幅ｗを有するアルミニウム製の補強帯板５を溶接にて一体形成し、塵取り口部２周辺をその底部より補強している（図５参照）。
【００１４】
この補強帯板５は、塵取り口部２の前端部の傾斜面Ｓの形成によってその裏側に形成された空間Ｅ内から食み出すことがない。
即ち、塵取り１の図５に示す使用（設置）状態で地面Ｇに接触することの無いようにその肉厚ｔと前後幅ｗが設定されているから、その使用状態で塵取り１がガタつくことはなく、塵の掃き入れ易い前端部の傾斜面Ｓから上記の平坦な塵取り口部２を通して塵取り板部３の奥方へ塵を掃き入れることができる。
【００１５】
塵取り板部３の左右側縁には、一対の側壁６を立設している。
この側壁６は、その前側端を所定角度を以て前傾させ、その上側端は前半部が前側端頂部から後方へ向かって所定角度を以て上り傾斜すると共に、この傾斜に続いて所定曲率半径を以て上昇する急カーブを介して後半部に連続し、後半部は直立する後側端へ向かって所定角度を以て下り傾斜している。
【００１６】
そして、塵取り板部３の後端3aには、側壁６の後側端と同一高さで横長矩形状の後部壁７を立設している。
【００１７】
また、側壁６後半部の上端間には、後部壁７より上り坂状に連続する天板８を架設し、これにより塵取り板部３の後半部を前方開放の箱型収容部９と成しており、天板８の前側端には、短尺な垂れ8aを垂下形成している。
尚、側壁６と、後部壁７及び天板８が隣接する稜角部は図示しないリベットにて鋲着又は溶接にて溶着されることにより箱型収容部９が構成される。
【００１８】
取っ手４は、長板材を略等脚台形状に屈曲形成すると共に、その左右下端を側壁６の外側面前方にリベット（図示せず）にて鋲着又は溶接にて溶着した提手10と、別途長板材の二箇所を所定角度を以て屈曲形成し、その一端を提手10の上端部の下面中央に、他端を後部壁７の外側面中央に、リベット（図示せず）にて鋲着又は溶接にて溶着した後方手11とから構成されている。
【００１９】
また、後方手11において、提手10に固着された先端には、図示しない箒の柄を着脱自在に支持する二股部12を前方突設している。
【００２０】
そして、取っ手４（提手10及び後方手11）を構成している各長板材は、アルミニウム製で帯板状の芯材13をアルミニウム製の薄板から成る外装材14で抱持することにより構成されており、この様に構成することにより、その強度向上を図ることができると共に、従来品に比し若干太く構成できるため、握り具合も良好と成すことができる。
【００２１】
尚、図示例では、外装材14は、芯材13の矩形状に形成された断面形状における上方の長手辺上でその両側縁間に間隙を設け、その長手辺の中央が露出する様に抱持しているが、外装材14の両側縁を密着させて芯材13を完全に隠蔽する様に外装材14で抱持してもよい。
【００２２】
尚、塵取り板部３は、上記構成に限定されることなく、従前の様に平たいシャベル形状に形成されても良く、この場合天板８も不要である。
【００２３】
上記の様に構成された塵取り１にあっては、その表面全体に絵柄（図示例では、二点鎖線で示す花柄）15を施している。尚、説明の便宜上、取っ手４表面の絵柄15は省略している。
【００２４】
この絵柄15の塵取り１表面への絵付けは、転写フィルムを用いた従前の加飾方法による。
即ち、適宜絵柄15を構成する転写層を有する熱可塑性フィルムを塵取り１と密着するように配置し、熱や圧力を利用して塵取り１表面に転写層を転写させて加飾を施している。
これにより、塵取り１表面の耐久性や意匠性を高めることができる。
【符号の説明】
【００２５】
１  塵取り
２  塵取り口部
３  塵取り板部
４  取っ手
５  補強帯板
13  芯材
14  外装材
15  絵柄
Ｓ  傾斜面
ｔ  厚み
ｗ  前後幅
【図１】
2016039839.tif 000003
【図２】
2016039839.tif 000004
【図３】
2016039839.tif 000005
【図４】
2016039839.tif 000006
【図５】
2016039839.tif 000007